(57)【特許請求の範囲】
【請求項１】
書込み電流ドライバ回路であって、
第１及び第２上側スイッチと第１及び第２下側スイッチとを有し、第１及び第２入力信号に応答して、第１上側スイッチを第１下側スイッチへ接続する第１ノードと第２上側スイッチを第２下側スイッチに接続する第２ノードとの間に接続された書込みヘッドを通じて反対方向に書込み電流を流す、Ｈスイッチドライバと、
第１上側スイッチのベースに接続された第１プルアップ抵抗（Ｒ４又はＲ８）、及び、第２上側スイッチのベースに接続された第２プルアップ抵抗であって、当該プルアップ抵抗が上側スイッチのベースにおいてインピーダンスを削減するものであり、
第１電流パルス発生器と、
第１入力信号に応答して、第１下側スイッチへのスイッチング信号を発生するように動作する第１インバータ回路であって、この第１インバータ回路に関連した供給電流が第１上側スイッチと関連した書込み電流の変化を加速するために第１上側スイッチへ高電流パルスを与えるように第１電流パルス発生器により処理される、第１インバータ回路であって、高電流パルスが、プルアップ抵抗の値の増加を可能とするものである、
を備える書込み電流ドライバ回路。
【請求項２】
第２電流パルス発生器と、
第２入力信号に応答して、第２下側スイッチへのスイッチング信号を発生するように動作する第２インバータ回路であって、この第２インバータ回路に関連した供給電流が第２上側スイッチと関連した書込み電流の変化を加速するために第２上側スイッチへ高電流パルスを与えるように第２電流パルス発生器により処理される、第２インバータ回路と
をさらに備える１項に記載の書込み電流ドライバ回路。
【請求項３】
第１及び第２電流パルス発生器の各々が、
それぞれのインバータ回路を適切に動作するためにバイアスされていて電圧パルスを発生するように動作するエミッターフォロワーと、
電圧パルスに応答して、高電流パルスを発生するように動作するパワーＭＯＳＦＥＴ装置と
を含む２項に記載の書込み電流ドライバ回路。
【請求項４】
第１電流パルス発生器が、
第１インバータ回路を適切に動作するためにバイアスされていて電圧パルスを発生するように動作するエミッターフォロワーと、
電圧パルスに応答して、高電流パルスを発生するように動作するパワーＭＯＳＦＥＴ装置と
を含む１項に記載の書込み電流ドライバ回路。
【請求項５】
書込み電流ドライバ回路であって、
第１及び第２上側スイッチと第１及び第２下側スイッチとを有し、第１及び第２入力信号に応答して、第１上側スイッチを第１下側スイッチへ接続する第１ノードと第２上側スイッチを第２下側スイッチに接続する第２ノードとの間に接続された書込みヘッドを通じて反対方向に書込み電流を流す、Ｈスイッチドライバと、
第１上側スイッチのベースに接続された第１プルアップ抵抗（Ｒ４又はＲ８）、及び、第２上側スイッチのベースに接続された第２プルアップ抵抗であって、当該プルアップ抵抗が上側スイッチのベースにおいてインピーダンスを削減するものであり、
第１電流パルスを発生する手段と、
第１入力信号に応答して、第１下側スイッチへのスイッチング信号を発生する手段であって、この第１下側スイッチへのスイッチング信号を発生する手段に関連した供給電流が第１上側スイッチと関連した書込み電流の変化を加速するために第１上側スイッチへ高電流パルスを与えるように第１電流パルスを発生する手段により処理される、第１下側スイッチへのスイッチング信号を発生する手段であって、高電流パルスが、プルアップ抵抗の値の増加を可能とするものである、
を備える書込み電流ドライバ回路。
【請求項６】
第２電流パルスを発生する手段と、
第２入力信号に応答して、第２下側スイッチへのスイッチング信号を発生する手段であって、この第２下側スイッチへのスイッチング信号を発生する手段に関連した供給電流が第２上側スイッチと関連した書込み電流の変化を加速するために第２上側スイッチへ高電流パルスを与えるように第２電流パルスを発生する手段により処理される、第２下側スイッチへのスイッチング信号を発生する手段と
をさらに備える５項に記載の書込み電流ドライバ回路。
【請求項７】
第１電流パルスを発生する手段及び第２電流パルスを発生する手段がそれぞれ、
電圧パルスを発生する手段と、
電圧パルスに応答して高電流パルスを発生する手段と
を備える６項に記載の書込み電流ドライバ回路。
【請求項８】
第１電流パルスを発生する手段が、
電圧パルスを発生する手段と、
電圧パルスに応答して高電流パルスを発生する手段と
を備える５項に記載の書込み電流ドライバ回路。
【請求項９】
磁気記録ヘッドＨスイッチドライバの上側スイッチと関連した書込み電流の変化を加速する方法であって、
Ｈスイッチと、上側スイッチのベースにおけるインピーダンスを削減させる第１プルアップ抵抗（Ｒ４又はＲ８）及び第２プルアップ抵抗と、第１及び第２電流パルス発生器と、第１及び第２インバータとを有する書込み電流ドライバを準備するステップと、
第１入力信号に応答して、Ｈスイッチと関連した第１下側スイッチへ第１インバータを介してスイッチング信号を発生するステップと、
Ｈスイッチと関連した第１上側スイッチと関連した書込み電流の変化を加速するために第１上側スイッチへ高電流パルスを与えるように第１電流パルス発生器を介して第１インバータと関連した供給電流を処理するステップであって、高電流パルスがプルアップ抵抗の値の増加を可能とするものである、
を含んだ方法。
【請求項１０】
第２入力信号に応答して、Ｈスイッチと関連した第２下側スイッチへ第２インバータを介してスイッチング信号を発生するステップと、
Ｈスイッチと関連した第２上側スイッチと関連した書込み電流の変化を加速するために第２上側スイッチへ高電流パルスを与えるように第２電流パルス発生器を介して第２インバータと関連した供給電流を処理するステップと
をさらに含んだ９項に記載の方法。
【発明の詳細な説明】
【０００１】
【発明の属する技術分野】
本発明は、一般に、書込みドライバに関し、より詳細には、誘導記録ヘッド書込みドライバの性能を増強するための技術に関する。
【０００２】
【従来の技術】
Ｈスイッチ・ドライバが記録ディスクにデータを書込む誘導記録ヘッドに書き込み電流を供給するために使用される。Ｈスイッチは一般に各々がＨの１つの脚を形成する４つのトランジスタスイッチを含む。そして書込みヘッドコイルは、Ｈの中心スパンを横断するターミナルに接続される。Ｈスイッチの対向する脚の２つのトランジスタ・スイッチを動作することにより、電流がコイル中を第１方向へ流される。同様に、残りの２つのトランジスタ・スイッチを動作することにより、電流がコイル中を反対方向へ流される。
【０００３】
【発明が解決しようとする課題】
誘導書込みヘッド用の書込みドライバは、高速スイッチングを達成するために上側Ｈスイッチにおいてが強固なプルアップが必要である。一般に、所望のプルアップを達成するためには、低い値の抵抗をプレドライバに使用する。これは相当の電力を消費する。プライス、ジェーアールに２００１年２月６日に付与された米国特許第６，１８４，７２７号「増強されたスイッチング制御回路を有する書込みドライバ回路」は、高速スイッチングを達成するために制御信号を使用することを記載しているが、高速スイッチングを達成するために必要な最適な制御信号タイミングを提供していない。
【０００４】
以上の観点から、誘導記録ヘッド内で高速の電流の変化を達成できる態様で上側Ｈスイッチ・ドライバへ最適なタイミングの制御信号を与える技術を提供することが好ましく且つ望ましい。もし、この技術が他の時には最小の電力消費を発生しながら変化中に電流ブーストを与えるこができるならばまた好ましく且つ望ましい。
【０００５】
【課題を解決するための手段】
本発明は、誘導記録ヘッド書込みドライバの性能を増強するためのシステム及びその方法に関する。
【０００６】
本発明の１つの観点において、システム及び方法は誘導記録ヘッド内に高速変化する電流を達成するために上側Ｈスイッチ・ドライバに最適にタイミングを取った制御信号を与える。
【０００７】
本発明の別の観点において、システム及び方法は他の時には最小の電力消費を発生しながら誘導記録ヘッド内の電流変化中に誘導記録ヘッド電流ブーストを与える。
【０００８】
本発明の１つの実施の形態は、第１及び第２上側スイッチと第１及び第２下側スイッチを有するＨスイッチ・ドライバを含む書込み電流ドライバ回路に関し、Ｈスイッチ・ドライバは、第１及び第２入力信号に応答して、第１上側スイッチを第１下側スイッチに接続する第１ノードと第２上側スイッチを第２下側スイッチに接続する第２ノードとの間に接続された書込みヘッドを通じて書込み電流を反対方向へ流すように動作する。書込み電流ドライバ回路はさらに、第１電流パルス発生器と第１入力信号に応答して第１下側スイッチへスイッチング信号を発生するように動作する第１インバータ回路とを含み、第１インバータ回路に関連する供給電流は、第１上側スイッチに関連する書込み電流の変化を加速するために第１上側スイッチへ高電流パルスを与えるように第１電流パルス発生器により処理される。
【０００９】
本発明の別の実施の形態は、第１及び第２上側スイッチと第１及び第２下側スイッチを有するＨスイッチ・ドライバを含む書込み電流ドライバ回路に関し、Ｈスイッチ・ドライバは、第１及び第２入力信号に応答して、第１上側スイッチを第１下側スイッチに接続する第１ノードと第２上側スイッチを第２下側スイッチに接続する第２ノードとの間に接続された書込みヘッドを通じて書込み電流を反対方向へ流すように動作する。書込み電流ドライバ回路はさらに、第１電流パルス発生手段と第１入力信号に応答して第１下側スイッチへスイッチング信号を発生する手段とを含み、スイッチング信号を発生する手段に関連する供給電流は、第１上側スイッチに関連する書込み電流の変化を加速するために第１上側スイッチへ高電流パルスを与えるように第１電流パルス発生手段により処理される。
【００１０】
本発明のさらに別の実施の形態は、磁気記録ヘッドＨスイッチ・ドライバの上側スイッチと関連した書込み電流の変化を加速する方法に関し、Ｈスイッチ、第１及び第２電流パルス発生器、及び第１及び第２インバータを有する書込み電流ドライバを準備するステップと、第１入力信号に応答して第１インバータを介してＨスイッチと関連した第１下側スイッチへスイッチング信号を発生するステップと、第１上側スイッチと関連した書込み電流の変化を加速するためにＨスイッチと関連した第１上側スイッチへ高電流パルスを与えるように第１電流パルス発生器を介して第１インバータと関連した供給電流を処理するステップとを含む。
【００１１】
本発明の他の観点、特徴、及び利点は、添付図面と共に以下の本発明の詳細な説明を参照することにより容易に理解できるであろう。
【００１２】
添付図は、特定の実施の形態について説明しているが、本発明の別の実施の形態も説明されるように考慮される。全ての場合、この開示は本発明の代表として説明された実施の形態であり、限定するものではない。当業者により本発明の原理の精神と範囲の中に入る数々の他の修正と実施の形態が想定できる。
【００１３】
【発明の実施の形態】
前述のように、Ｈスイッチ・ドライバは記録ディスクにデータ書込むための誘導記録ヘッドへ書込み電流を供給するために磁気ディスク・ドライブ中に使用される。Ｈスイッチは一般に、各々がＨスイッチの１つの脚を形成する４つのトランジスタ・スイッチを含む。そして、書込みヘッドコイルはＨスイッチの中心スパンを横断するターミナルに接続される。Ｈスイッチの対向する脚のトランジスタスイッチの２つを動作させることにより、電流がコイルを通じて第１方向へ流される。同様にして、残りの２つのトランジスタスイッチを動作することにより、電流がコイルを通じて反対方向へ流される。
【００１４】
図１Ａ乃至図１Ｃを参照すると、本発明の１つの実施の形態による誘導記録ヘッド用の書込みドライバ回路１００の概略図が示されている。書込みドライバ回路１００は、上側ＨスイッチＮＰＮトランジスタＱ１１とＱ１２及び下側ＨスイッチＮＰＮトランジスタＱ６とＱ９を有するＨスイッチ・ドライバを含んでいる。
【００１５】
書込み電流が、対向するＨスイッチＮＰＮトランジスタＱ１１とＱ９が導通する時、ピンＨＷＸ１０２とＨＷＹ１０４の誘導書込みヘッドを通って流れ、そして対向する対のＨスイッチＮＰＮトランジスタＱ１２とＱ６が導通する時に、スイッチする。スイッチング変化は高速で発生しなければならず、ＨスイッチＮＰＮトランジスタは前述したように大変強固に駆動されなければならない。Ｈスイッチの動作に関する説明は、記録ヘッド書込みドライプ技術の当業者は既に知識を有するから、簡潔さのために好適な実施の形態ではこれ以上は説明しない。
【００１６】
典型的に、トランジスタＱ１１とＱ１２のベースにそれぞれ接続されたプルアップ抵抗Ｒ４とＲ８は、低インピーダンスと高電流駆動をＨスイッチＮＰＮトランジスタＱ１１とＱ１２のベースのそれぞれに与えるためにかなり低い値の抵抗である。しかし、当業者に容易に理解されるようにこれらの特性は低電力消費の達成には貢献しない。前述した‘７２７特許は、変化中に電流パルスを与えることにより、抵抗Ｒ４と抵抗Ｒ８の値を１オーダーの大きさまで増大することができ、そしてこれらに流れる電流を減少することのできる方法を記述している。しかし、‘７２７特許に記述された方法は、適切にタイミングが合ったパルスを与えるためには到達が遅すぎるＨスイッチの対向する側の電圧スイッチングを利用する。
【００１７】
図１Ａ乃至図１Ｃを続いて参照すると、トランジスタＱ６とＱ９のそれぞれのエミッタ内のＮＭＯＳ装置１０６、１０８を駆動するために使用されるインバータＩＮＶ１とＩＮＶ２と関連した供給電流が、変化中に適切にタイミングが合わされた電流パルスを与えるために使用される。インバータＩＮＶ１とＩＮＶ２は、ＮＭＯＳ装置１０６、１０８の十分な駆動を達成するためにコントローラから来る書込みデータ信号をバッフアすることが必要である。普通、４乃至６つのインバータのストリングが使用され、各々はＨスイッチに最終的に到達する前に漸進的により強くなる。本実施の形態では、インバータ・ストリング内の最後のインバータのみがヘッド・セル内にある。本発明者は、変化中を除いてインバータの供給電流はゼロであるため、インバータＩＮＶ１とＩＮＶ２に関連した供給電流を使用して変化中に適切にタイミングが合った電流パルスを達成できることを認識した。例えば、インバータＩＮＶ２に関連した供給電流パルスは、インバータＩＮＶ２の適正な動作のためバイアスされたエミッタ・フォロワーＱ７を通過して抵抗Ｒ６へ流れ、ここで電圧パルスが発生されてＰＭＯＳＦＥＴ  ＭＰ１のゲートに加えられる。そして、トランジスタＭＰ１は、抵抗Ｒ４への低電流を単に使用することより達成できるよりも高速にトランジスタＱ１１をプルアップをするために、書込み電流変化中にＨスイッチＮＰＮトランジスタＱ１１のベースへ高電流パルスを与える。ＩＮＶ１又はＩＮＶ２などのＣＭＯＳインバータからの供給電流パルスは大変短い期間であって、入力がスイッチングする間だけである。従って、ＰＭＯＳプルアップ・トランジスタＭＰ１へのパルスも大変短い期間であるが、所望の機能を達成するには十分である。インバータＩＮＶ２と関連した供給電流パルスは、下側ＨスイッチＮＰＮトランジスタへドライブより先立ち、そして上側スイッチをパルスするために適切にタイミングが合わされる。同様にして、インバータＩＮＶ１と関連した供給電流パルスは下側ＨスイッチＮＰＮトランジスタへドライブより先立ち、そして上側ＨスイッチＮＰＮトランジスタＱ１２のベースへ高電流パルスを与えるために適切にタイミングが合わせられる。書込みドライバ回路１００の１つの実施の形態は、−３Ｖの負の供給電源を使用し、そして、必要なロジックを与えるために、＋２Ｖが正供給接続へ供給されなければならない。従って、上述したエミッタ・フォロワー（Ｑ７とＱ１２）は内部で生成される＋２．８Ｖへ結合されるそれぞれのベース・ノードを有する。
【００１８】
当業者には容易に理解されるように、インバータＩＮＶ１とＩＮＶ２は、必要なプルアップ信号を発生するために関連する供給電流パルスが構成される限り、限定的ではなく、ＮＡＮＤ、ＮＯＲ等を含むどんな既知のロジック機能を使用して実現できる。従って、本発明は実施の形態に限定されるものではない。さらに、パワーＦＥＴ  ＭＰ１とＭＰ３は、書込みドライバ回路１００のいくつかの実現であるＰＮＰトランジスタと置換えることができる。
【００１９】
本発明と特に関係しないが、図１Ａに示されたロジック装置は単にヘッド選択のために使用されている。従って、本発明の詳細な実施の形態に関連した抵抗Ｒ４とＲ８は、正の供給電源に接続されていて、ヘッドが選択された時に正の供給電源にプルアップされる。それ以外は、図１Ａのインバータは抵抗Ｒ４と抵抗Ｒ８を接地して、従って、Ｈスイッチを使用不可にする。当業者には理解されるように、プレアンプは複数（いくつかの応用では８つまで）のヘッドを駆動でき、このような応用では８つの書込みドライバ回路１００が存在するが、通常の動作中には一時に１つのみがオンとなる。ブロック１１０は、書込みデータパルス成形器であり、関連したインバータ・ストリングの最初のいくつかのインバータも含む。書込みドライバ回路１００の底を横断して示されるいくつかの１０μＡシンクは単に、それらのそれぞれのトランジスタが完全に遮断することを防止して、加速装置として動作する。このように、これらの装置は本発明には関係しない。
【００２０】
要約すると、下側Ｈスイッチへスイッチング信号を加えるインバータ・ストリング内のインバータからの供給電流が、上側Ｈスイッチへプルアップ信号を与えるＰＭＯＳ装置を駆動するために使用される。書込み電流の変化時において、誘導負荷（記録ヘッド）内の電流の高速な変化を発生するために、書込みドライバ内の回路は非常に高速に反応しなければならない。現代の方法は一般に書込みヘッドの適切な性能を達成するために５０％又はそれ以上の書込み電流オーバーシュートを必要とする。そのため、ヘッドドライバ回路でＨスイッチをプルアップする大きな必要性が存在する。しかし、これとは逆に、低電力消費が維持されなければならない。本発明は、他の時に電力消費を最小にしながら、書込み電流変化中にはプルアップ電流をブーストすることにより、書込みドライバ性能を増強する解決を与える。
【００２１】
以上の記載に関連して、以下の各項を開示する。
【００２２】
１．書込み電流ドライバ回路であって、
第１及び第２上側スイッチと第１及び第２下側スイッチとを有し、第１及び第２入力信号に応答して、第１上側スイッチを第１下側スイッチへ接続する第１ノードと第２上側スイッチを第２下側スイッチに接続する第２ノードとの間に接続された書込みヘッドを通じて反対方向に書込み電流を流す、Ｈスイッチドライバと、
第１電流パルス発生器と、
第１入力信号に応答して、第１下側スイッチへのスイッチング信号を発生するように動作する第１インバータ回路であって、この第１インバータ回路に関連した供給電流が第１上側スイッチと関連した書込み電流の変化を加速するために第１上側スイッチへ高電流パルスを与えるように第１電流パルス発生器により処理される、第１インバータ回路と
を備える書込み電流ドライバ回路。
【００２３】
２．第２電流パルス発生器と、
第２入力信号に応答して、第２下側スイッチへのスイッチング信号を発生するように動作する第２インバータ回路であって、この第２インバータ回路に関連した供給電流が第２上側スイッチと関連した書込み電流の変化を加速するために第２上側スイッチへ高電流パルスを与えるように第２電流パルス発生器により処理される、第２インバータ回路と
をさらに備える１項に記載の書込み電流ドライバ回路。
【００２４】
３．第１及び第２電流パルス発生器の各々が、
それぞれのインバータ回路を適切に動作するためにバイアスされていて電圧パルスを発生するように動作するエミッターフォロワーと、
電圧パルスに応答して、高電流パルスを発生するように動作するパワーＭＯＳＦＥＴ装置と
を含む２項に記載の書込み電流ドライバ回路。
【００２５】
４．第１電流パルス発生器が、
第１インバータ回路を適切に動作するためにバイアスされていて電圧パルスを発生するように動作するエミッターフォロワーと、
電圧パルスに応答して、高電流パルスを発生するように動作するパワーＭＯＳＦＥＴ装置と
を含む１項に記載の書込み電流ドライバ回路。
【００２６】
５．書込み電流ドライバ回路であって、
第１及び第２上側スイッチと第１及び第２下側スイッチとを有し、第１及び第２入力信号に応答して、第１上側スイッチを第１下側スイッチへ接続する第１ノードと第２上側スイッチを第２下側スイッチに接続する第２ノードとの間に接続された書込みヘッドを通じて反対方向に書込み電流を流す、Ｈスイッチドライバと、
第１電流パルスを発生する手段と、
第１入力信号に応答して、第１下側スイッチへのスイッチング信号を発生する手段であって、この第１下側スイッチへのスイッチング信号を発生する手段に関連した供給電流が第１上側スイッチと関連した書込み電流の変化を加速するために第１上側スイッチへ高電流パルスを与えるように第１電流パルスを発生する手段により処理される、第１下側スイッチへのスイッチング信号を発生する手段と
を備える書込み電流ドライバ回路。
【００２７】
６．第２電流パルスを発生する手段と、
第２入力信号に応答して、第２下側スイッチへのスイッチング信号を発生する手段であって、この第２下側スイッチへのスイッチング信号を発生する手段に関連した供給電流が第２上側スイッチと関連した書込み電流の変化を加速するために第２上側スイッチへ高電流パルスを与えるように第２電流パルスを発生する手段により処理される、第２下側スイッチへのスイッチング信号を発生する手段と
をさらに備える５項に記載の書込み電流ドライバ回路。
【００２８】
７．第１電流パルスを発生する手段及び第２電流パルスを発生する手段がそれぞれ、
電圧パルスを発生する手段と、
電圧パルスに応答して高電流パルスを発生する手段と
を備える６項に記載の書込み電流ドライバ回路。
【００２９】
８．第１電流パルスを発生する手段が、
電圧パルスを発生する手段と、
電圧パルスに応答して高電流パルスを発生する手段と
を備える５項に記載の書込み電流ドライバ回路。
【００３０】
９．磁気記録ヘッドＨスイッチドライバの上側スイッチと関連した書込み電流の変化を加速する方法であって、
Ｈスイッチと、第１及び第２電流パルス発生器と、第１及び第２インバータとを有する書込み電流ドライバを準備するステップと、
第１入力信号に応答して、Ｈスイッチと関連した第１下側スイッチへ第１インバータを介してスイッチング信号を発生するステップと、
Ｈスイッチと関連した第１上側スイッチと関連した書込み電流の変化を加速するために第１上側スイッチへ高電流パルスを与えるように第１電流パルス発生器を介して第１インバータと関連した供給電流を処理するステップと
を含んだ方法。
【００３１】
１０．第２入力信号に応答して、Ｈスイッチと関連した第２下側スイッチへ第２インバータを介してスイッチング信号を発生するステップと、
Ｈスイッチと関連した第２上側スイッチと関連した書込み電流の変化を加速するために第２上側スイッチへ高電流パルスを与えるように第２電流パルス発生器を介して第２インバータと関連した供給電流を処理するステップと
をさらに含んだ９項に記載の方法。
【００３２】
【発明の効果】
以上の説明から、本発明は誘導記録ヘッド書込みドライバの技術において顕著な利益を提供することが理解できる。さらに、ディスクドライブ技術の当業者に新しい原理を応用して必要に応じてこのような特別なコンポーネントを使用するのに必要な情報を提供するために、本発明が十分に詳細に説明された。以上の説明から、本発明は従来技術と比較して構成と作用において顕著に異なることが理解される。本発明の特定の実施の形態がここに詳細に説明されたが、特許請求の範囲の記載により定義される本発明の範囲と精神から逸脱することなく、さまざまな変形、修正、置換が可能であることが理解できる。
【図面の簡単な説明】
【図１Ａ】本発明の１つの実施の形態による誘導記録ヘッドの書込みドライバ回路を示す概略図。
【図１Ｂ】本発明の１つの実施の形態による誘導記録ヘッドの書込みドライバ回路を示す概略図。
【図１Ｃ】本発明の１つの実施の形態による誘導記録ヘッドの書込みドライバ回路を示す概略図。
【符号の説明】
１００      書込みドライバ回路
１０２      ピン
１０４      ピン
Ｑ６        下側ＨスイッチＮＰＮトランジスタ
Ｑ７        エミッタフォロワ
Ｑ９        下側ＨスイッチＮＰＮトランジスタ
Ｑ１１      上側ＨスイッチＮＰＮトランジスタ
Ｑ１２      上側ＨスイッチＮＰＮトランジスタ
ＭＰ１      ＰＭＯＳＦＥＴ
ＭＰ３      ＰＭＯＳＦＥＴ
【図１Ａ】
0004027829.tif 000002
【図１Ｂ】
0004027829.tif 000003
【図１Ｃ】
0004027829.tif 000004